(57)【要約】【課題】動画撮影時に撮影モードまたは撮影パラメータを変更した効果を容易に理解することができ、また、前記変更機能を簡単かつ的確に選択できる撮影装置を提供する。【解決手段】撮像装置は、被写体を撮像するための撮像素子、撮像制御部からなる撮像部と、上記撮像部から得られた画像を表示するための表示部とを有しており、動画撮影モードにおいて、撮影パラメータとしてのフレームレートを設定する際に撮影メニュー上で「フレームレート」を選択して、上記表示部に選択可能な複数の異なるフレームレートの動画スルー画面をマルチウインドウ４０として表示させ、該マルチウインドウ４０上で動画スルー画面の１つを指定することによって動画撮影のフレームレートを簡単かつ的確に設定することができる。【選択図】図５
2007336522.tif 000002
【特許請求の範囲】
【請求項１】
被写体を撮像するための撮像手段と、
上記撮像手段から得られた動画像を複数同時に表示することを可能になされたマルチウインドウ表示手段と、
を有し、上記マルチウインドウ表示手段に表示される動画像は、それぞれのウインドウにおいてフレームレートを異ならせて表示させることを特徴とする撮像装置。
【請求項２】
上記動画像は、所定間隔毎に撮像された複数の静止画で構成されており、上記マルチウインドウ表示手段に表示される複数の動画像は、上記複数の静止画から、所定間隔で間引いて得られた画像であることを特徴とする請求項１に記載の撮像装置。
【請求項３】
上記撮像装置は、さらに、画像を記録するための記憶手段を有し、上記マルチウインドウ表示手段によって表示される複数の動画像と合わせて、上記記憶手段に記録可能な時間を演算し、それぞれのウインドウにて上記記録可能な時間を表示することを特徴とする請求項１に記載の撮像装置。
【請求項４】
上記マルチウインドウ表示手段によって表示された複数ウインドウから一つのウインドウを選択可能にすることを特徴とする請求項１に記載の撮像装置。
【請求項５】
上記マルチウインドウ表示の選択は、階層構造のメニューから選択可能であることを特徴とする請求項１に記載の撮像装置。
【請求項６】
上記マルチウインドウ表示の選択は、撮影待機状態からダイレクトに選択可能であることを特徴とする請求項１に記載の撮像装置。
【発明の詳細な説明】
【技術分野】
【０００１】
本発明は、撮影モードの撮影パラメータの変更が可能な撮像装置に関する。
【背景技術】
【０００２】
近年、複数の撮影モードや、撮影パラメータを変更する機能を備えたデシタルカメラが数多く販売されている。撮影の状況によっては、撮影モードを変更したり、撮影パラメータを変更した方が、より良い画像を得られる場合が多々ある。
【０００３】
例えば、カメラの撮影パラメータとしてホワイトバランス設定があるホワイトバランスの調整を自動的に行うオートホワイトバランスの機能を備えるカメラが一般的である。
【０００４】
オートホワイトバランスは、いかなる光源下で撮影が行われても、画像処理によって白いものは白く写るように自動的に調整するものである。しかしなから、画面内全体の色がある色に片寄っているようなとき、その色を白色になるように補正するので、必ずしも良好な色あいで記録されるとは限らない。そこで、プリセツトホワイトバランスというモードを合わせて搭載しているカメラがある。このカメラのプリセットホワイトハランス調整では、ホワイトバランス補正の中心値データとして、システムに代表的な複数の色温度の値を記憶させておく。また、晴天下、曇天下、電球下，蛍光灯下等の被写体を照らしている光源に合わせて上記色温度の値を選択可能にするものである。
【０００５】
特許文献１には撮像装置において異なる複数の画像を表示し、複数の画像から選択した画像を記録媒体に記録する技術が開示されている。複数の画像は、画角、ピント、露出が異なる画像である。
【特許文献１】特許第３１３９０２８号公報
【発明の開示】
【発明が解決しようとする課題】
【０００６】
上述した従来のオートホワイトバランスの機能を備えるカメラの例では撮影者がプリセツトホワイトバランスの選択を行おうと思っても、画像の出来上がりイメージが分からなかったり、各プリセットホワイトバランスの効果を比較するためにプリセットホワイトバランスを切り換えて確認する作業が非常に面倒である。
【０００７】
そこで、撮影パラメータを変更する場合に異なる撮影パラメータで処理された画像を複数枚同様に表示して比較すると、各パラメータによる効果が分かりやすい。
【０００８】
特許文献１には撮像装置において、異なる複数の画像を表示し、この複数の画像の中から選択した画像を記録媒体に記録する技術が開示されている。上記複数の画像は、画角、ピント、露出が異なる画像である。
【０００９】
特許文献１の撮像装置は、画角、ピント、露出が異なる撮影済みの画像を複数表示し、所望の１枚を選択し、記録するものであり、複数表示する画像が撮影済みであるため、この複数画像の中に好みの画像が存在しない場合には撮り直しが必要であり、使い勝手が悪い。
【００１０】
また、動画の撮影を考えた場合でも或るフレームレートで撮影し終わった後で動画データを再生してみたとき、フレームレート上、好みの動画ではかった場合、再現可能なシ−ンであれば、フレームレートを変えて動画撮影を行わなければならない。また、再現不可能なシーンである場合、好みの動画の撮影を逃がしてしまう。このことはフレームレートに限らず、他の撮影条件についても同様の支障が生じる。
【００１１】
本発明は、上述の問題点に鑑みてなされたものであり、動画の撮影時に撮影モードまたは撮影パラメータを変更した効果を容易に理解することができ、また、前記変更機能を簡単かつ的確に選択できる撮像装置を提供することを目的とする。
【課題を解決するための手段】
【００１２】
本発明の請求項１に記載の撮像装置は、被写体を撮像するための撮像手段と、上記撮像手段から得られた動画像を複数同時に表示することを可能になされたマルチウインドウ表示手段とを有し、上記マルチウインドウ表示手段に表示される動画像は、それぞれのウインドウにおいてフレームレートを異ならせて表示させる。
【００１３】
本発明の請求項２に記載の撮像装置は、請求項１に記載の撮像装置において、上記動画像は、所定間隔毎に撮像された複数の静止画で構成されており、上記マルチウインドウ表示手段に表示される複数の動画像は、上記複数の静止画から、所定間隔で間引いて得られた画像である。
【００１４】
本発明の請求項３に記載の撮像装置は、請求項１に記載の撮像装置において、上記撮像装置は、さらに、画像を記録するための記憶手段を有し、上記マルチウインドウ表示手段によって表示される複数の動画像と合わせて、上記記憶手段に記録可能な時間を演算し、それぞれのウインドウにて上記記録可能な時間を表示する。
【００１５】
本発明の請求項４に記載の撮像装置は、請求項１に記載の撮像装置において、上記マルチウインドウ表示手段によって表示された複数ウインドウから一つのウインドウを選択可能にする。
【００１６】
本発明の請求項５に記載の撮像装置は、請求項１に記載の撮像装置において、上記マルチウインドウ表示の選択は、階層構造のメニューから選択可能である。
【００１７】
本発明の請求項６に記載の撮像装置は、請求項１に記載の撮像装置において、上記マルチウインドウ表示の選択は、撮影待機状態からダイレクトに選択可能である。
【発明の効果】
【００１８】
本発明の撮像装置によれば、動画の撮影時に撮影モードまたは撮影パラメータを変更した効果を容易に理解することができ、また、前記変更機能を簡単かつ的確に選択できる撮像装置を提供することができる。
【発明を実施するための最良の形態】
【００１９】
以下、図を用いて本発明の実施形態について説明する。
【００２０】
図１は、本発明の一実施形態の撮像装置のブロック構成図である。図２は、上記撮像装置の背面図である。図３は、上記撮像装置において、MENUスイッチがオン操作をされたときに表示部に表示される第一階層メニューの表示画面を示す。図４は、図３の第一階層メニューにて第二階層メニューの撮影メニューが選択されたとき、表示部に表示される撮影メニューの表示画面を示す。図５は、上記撮影メニューでフレームレートが選択された場合の表示部のマルチウインドウ表示画面を示す。図６は、図５の表示状態でフレームレートの３０フレーム／秒が選択された場合の全画面表示の動画スルー画面を示す。
【００２１】
本実施形態の撮像装置１５は、静止画および動画が撮影可能なデジタルカメラであって、図１に示すように撮影光学系１と、該撮影光学系１を保持する鏡枠を進退駆動し、フォーカシングやズーミングを行う鏡枠制御部５と、該撮影光学系１を介して取り込まれた被写体像を光電変換する撮像手段である撮像素子２と、撮像素子２を制御し、撮像素子２から出力される光電変換信号（撮像信号）を処理し、デジタル撮像信号に変換する撮像制御部３と、撮像素子２の撮像信号に基づいて被写体輝度データを求めるＡＥ信号処理部４と、後述する画像処理部９による画像データを一時的に記憶する内蔵メモリ６と、上記画像データを記録するための記憶手段であって撮像装置１５に着脱可能なメモリカード等からなる外部メモリ７と、上記画像データを取り込み、撮影前のスルー画（動画）、撮影済みの動画や静止画、さらに、撮影情報を表示する画像表示手段（マルチウインドウ表示手段）であって、ＴＦＴ駆動制御回路とＴＦＴカラー液晶からなる表示部８と、上記撮像信号に基づいて被写体の画像データを生成する画像処理部９と、バスラインを介して上述の各制御要素と接続され、撮像装置１５の全体の制御を司るコントロール部１０と、撮影モード設定スイッチや撮影の開始を指示するレリーズスイッチ等の操作スイッチ群からなる操作部１１とを有している。
【００２２】
表示部８は、図２に示すように撮像装置１５の背面に配されている。
【００２３】
操作部１１は、図２に示すように主に撮像装置１５の背面、あるいは、上面に配される各操作釦を有するスイッチ群からなる。詳しくは、撮影開始を指示するレリーズスイッチ２１と、ズーミングを指示するズームスイッチ２２と、静止画撮影モード，動画撮影モード，再生モード，手ぶれ軽減撮影モードなどを選択するための回転式スイッチからなるモード設定ダイヤルスイッチ２３と、表示部８にメニュー設定画面を表示させるためのMENUスイッチ２４と、露出補正の設定，フラソシュの設定，セルフ撮影モードの設定，マクロ撮影モードの設定、さらに、メニュー設定画面表示時にカーソルの移動やメニュー階層の切り換えを行うための４つのスイッチからなる十字キースイッチ２５と、十字キースイッチ２５の中央部に配され、メニュー設定画面表示時にメニュー項目を決定したり、ファンクション設定モードに遷移するためのOK／FUNCスイッチ２６とからなる。
【００２４】
なお、十字キースイッチ２５の外周四方位置には、それぞれの方向のスイッチを押圧した場合の設定内容を示す指標として、露出補正設定ポシションを示す指標２７と、フラッシュ設定ポシションを示す指標２８と、セルフ撮影モードの設定ポシションを示す指標２９と、マクロ撮影モードの設定ポジションを示す指標３０とが付されている。
【００２５】
上述した構成を有する撮像装置１５において、MENUスイッチ２４がオン操作されると、図３に示した４つのメニューに遷移可能な第一階層メニューが表示部８に表示される。
【００２６】
上記４つのメニューは、画質メニュー，撮影メニュー，設定メニュー，リセットメニューからなり、そのうち、画質メニューは、撮影する画像の画質を設定するためのメニューである。撮影メニューは、後述する各種撮影時の撮影条件の設定するためのメニューである。設定メニューは、表示言語の選択やカメラ内蔵の時計の設定などのカメラの各種の設定を行うためのメニューである。リセットメニューは、ユーザーが設定した撮影モード等を初期化するためのメニューである。これらのメニューは、図３の表示状態にあるとき、十字キースイッチ２５およびOK／FUNCスイッチ２６の操作により１つが選択され、決定される。
【００２７】
撮像装置１５で撮影モードが動画撮影に設定されているとき、上記撮影メニューが選択されると、図４に示した撮影メニューに関わる第二階層メニューが表示部８に表示される。
【００２８】
上記図４の第二階層メニューは、撮影メニューとして動画撮影時のフレームレートを選択するためのフレームレートメニュー，ホワイトバランスを設定するためのホワイトバランスメニュー，デジタルズームを設定するためのデジタルズームメニューの３メニューが表示される。
【００２９】
なお、本撮像装置１５においては、上記フレームレートとして４種類のレートが選択可能である。すなわち、６０（通常）フレーム／秒と３０，１５，７の各フレーム／秒が選択できる。なお、上記４種類に限らず、さらに、高速のフレームレートである１２０フレーム／秒等、他の複数のレートを適用し、選択することも可能である。
【００３０】
図４の撮影メニュー表示状態にあるとき、上記フレームレートが十字キースイッチ２５およびOK／FUNCスイッチ２６の操作により選択されると、表示部８にフレームレートに関わる４分割マルチウインドウ４０が表示される（図５）。このマルチウインドウ４０は、６０，３０，１５，７フレーム／秒の動画スルー画面４１，４２，４３，４４からなる。
【００３１】
それぞれの分割画面の下位置には、フレーム／秒と、外部メモリ７上の現在の残量に当該フレームレートで記録可能な時間が表示される。具体な表示例として分割画面４１に６０フレーム／秒でのスルー画面と「６０フレーム」，「１４分５０秒」が表示される。分割画面４２に３０フレーム／秒でのスルー画面と「３０フレーム」，「２９分４０秒」が表示される。分割画面４３に１５フレーム／秒でのスルー画面と「１５フレーム」，「５９分２０秒」が表示される。分割画面４４に７フレーム／秒でのスルー画面と「フレーム」，「１時間５８分４０秒」が表示される。
【００３２】
表示部８が図５のマルチウインドウ表示状態にあるとき、十字キースイッチ２５およびOK／FUNCスイッチ２６を操作することによって、下記４つのフレームレートが異なる動画像からカメラ操作者の好み、あるいは、用途に合った１つのフレームレートの動画モードを選択すると、例えば、図６に示す３０フレーム／秒の動画スルー画面４５が表示部８の全画面に表示される。この全画面表示の動画スルー画面４５には上記フレームレート／記録可能な時間表示４５ａの他にバッテリー残量を示すアイコン４５ｂと、動画モードに設定されていることを示すムービーマーク４５ｃと、画質モード表示４５ｄとが合わせて表示される。
【００３３】
次に、本実施形態の撮像装置１５にてマルチウインドウにフレームレートの異なる動画スルー画面を表示する処理過程について図７の動画処理のタイムチャートを用いて説明する。
【００３４】
但し、次の説明は、表示部８に２画面（Ａ像とＢ像）のマルチウインドウ表示を行う場合の処理についての説明であり、本実施形態のように４画面のマルチウインドウ表示の場合は、表示用バッファの数を増やし、それぞれのフレームレートに対する表示更新を繰り返して行う必要がある。
【００３５】
図７に示すように撮像素子２によって通常のフレームレートの所定間隔毎（図５の例では６０フレーム／秒）に露光とｗａｉｔ（待ち時間）が繰り返される。露光によって得られた画像信号が、撮像制御部３にてデシタルデータに変換された後、内蔵メモリ６に転送記憶される。画像処理部９にて内蔵メモリ６内に格納された画像に対してホワイトバランス等の画像処理が施される。内蔵メモリ６内には表示用ハツファ（１），（２），（３）として表示用のバッファの作業エリアが設けられている。
【００３６】
露光により得られた画像データは、画像処理後表示用バッファ（１）にＡ画像表示用の画像（静止画）Ｐ1 として転送され、また、該画像Ｐ1 がそのままＢ画像表示用の画像としてコピー記録される。そして、表示部８に上記Ａ画像表示用画像Ｐ1 とＢ画像表示用画像Ｐ1 が同時に並列して表示される。
【００３７】
続く露光により得られた画像データは、画像処理後表示用バッファ（２）にＡ画像表示用の画像（静止画）Ｐ2 として転送される。また、表示用バッファ（１）のＡ画像表示用画像Ｐ1 のデータが表示用バッファ（２）にＢ画像表示用画像として転送される。そして、表示部８に上記Ａ画像表示用画像Ｐ2 とＢ画像表示用画像Ｐ1 が同時に並列して表示される。
【００３８】
続く露光により得られた画像データは、画像処理後表示用バッファ（３）にＡ画像表示用の画像（静止画）Ｐ3 として転送される。また、該画像Ｐ3 がそのままＢ画像表示用画像としてコピー記録される。そして、表示部８に上記Ａ画像表示用画像Ｐ3 とＢ画像表示用画像Ｐ3 が同時に並列して表示される。
【００３９】
続く露光により得られた画像データは、画像処理後表示用バッファ（１）にＡ画像表示用の画像（静止画）Ｐ4 として転送される。また、表示用バッファ（３）のＡ画像表示用画像Ｐ3 のデータが表示用バッファ（１）にＢ画像表示用画像として転送される。そして、表示部８に上記Ａ画像表示用画像Ｐ4 とＢ画像表示用画像Ｐ3 が同時に並列して表示される。
【００４０】
上述したようにして表示部８に通常フレームレートのＡ画像と半分のフレームレートのＢ画像の２分割マルチ表示が繰り返される。
【００４１】
前述したように本実施形態の場合のように４種類フレームレートに対する４分割のマルチウインドウ表示を行う場合、さらに、表示バッファの数を増やして上述した画像データの転送，記録を繰り返して行う必要がある。
【００４２】
次に、本実施形態の撮像装置１５における動画のマルチウインドウ表示／フレームレート選択処理を含む撮影再生処理について図８〜１０のフローチャートに基づいて説明する。
【００４３】
図８は、撮像装置１５における撮影再生処理（メインルーチン）のフローチャートである。図９は、図８のメインルーチンで呼び出されるサブルーチン「ＯＫスイッチ判断Ａ」のフローチャートである。図１０は、図８のメインルーチンで呼び出されるサブルーチン「ＯＫスイッチ判断Ｂ」のフローチャートである。
【００４４】
まず、撮像装置１５の電源スイッチ（図示せず）のオン操作に伴ってコントロール部１０の制御のもとで内蔵メモリ６に格納されているプログラムに沿って図８の撮影再生処理（メインルーチン）がスタートする。但し、図８の撮影再生処理は、撮像装置１５が動画撮影／再生モードに設定されている場合の処理であり、静止画撮影／再生モードの場合は、別の撮影再生処理（図示せず）が実行される。
【００４５】
ステップＳ１で動画撮影モードと動画再生モードのいずれに設定されているかを判断し、再生モードに設定されてる場合は、再生モードの処理に移行する。動画撮影モードに設定されている場合は、ステップＳ２に進み、鏡枠を撮影可能なワイド位置に繰り出し、さらに、フォーカシングを行うための鏡枠のイニシャライズ駆動が実行される。ステップＳ３で表示部８の表示が開始される。さらに、ステップＳ４にて撮像素子２、撮像制御部３、ＡＥ信号処理部４を含む撮像系が作動状態となり、撮影待機状態となる。
【００４６】
続いて、ステップＳ５にて操作部１１にて操作入力が発生したか否か判断する。操作入力か発生した場合は、ステップＳ７に分岐し、操作入力がない場合は、ステップＳ６に分岐する。
【００４７】
ステップＳ６においては、操作入力がない状態で所定時間が経過したか否かを判断する。所定時間経過しても操作入力が発生しない場合は、スリープモード（省エネルギーモード）へ分岐する。所定時間が経過していない場合は、ステップＳ５に戻る。
【００４８】
ステップＳ７にて操作入力が、MENUスイッチ２４の入力かどうか判断する。MENUスイッチ２４の入力ではない場合は、他の操作入力処理に分岐する。MENUスイッチ２４の入力の場合は、ステップＳ８に分岐する。
【００４９】
ステップＳ８では図３に示した第一階層メニューが表示部８上に表示される。カーソルの初期位置は「撮影メニュー」の位置である。続いて、ステップＳ９に進み、サブルーチン「ＯＫスイッチ判断Ａ」（図９）が呼び出される。このサブルーチンは、後述するようにOK／FUNCスイッチ２６が操作されたか否か判断するためのサブルーチンである。カーソル位置によって「撮影メニュー」を選択した状態でOK／FUNCスイッチ２６が操作されたことが検出された場合は、ステップＳ１０に移行する。
【００５０】
ステップＳ１０では図４の第２階層メニューとして撮影メニューが表示部８上に表示される。カーソルの初期位置は「フレームレート」の位置とする。
【００５１】
ステップＳ１１にて再度サブルーチン「ＯＫスイッチ判断Ａ」（図９）が呼び出される。OK／FUNCスイッチ２６が操作されたことが検出された場合は、ステップＳ１２に移行する。
【００５２】
ステップＳ１２にてカーソル位置によって「フレームレート」が選択されたか否かが判断される。「フレームレート」が選択された場合は、ステップＳ１３で撮像素子２により取り込まれた撮像信号に基づいて、画像処理部９にて図７で説明した画像処理が施され、表示部８に複数のフレームレートのマルチウインドウ４０（図５）が表示される。そして、ステップＳ１４へ移行する。なお、「フレームレート」が選択されていない場合は、フレームレート選択以外の他の撮影メニューの処理へ分岐する。
【００５３】
ステップＳ１４では、サブルーチン「ＯＫスイッチ判断Ｂ」がコールされる。このサブルーチンは、後述するようにマルチウインドウ表示状態でいずれかのウインドウが選択され、OK／FUNCスイッチ２６が押されたか否か判断するためのサブルーチンである。OK／FUNCスイッチ２６の操作が確認された場合は、ステップＳ１５に移行する。
【００５４】
ステップＳ１５ではカメラ操作者によって選択されたフレームレートによるスルー画面（動画）が表示部８に全画面表示される。例えば、図６のような３０フレーム／秒のスルー画面が表示部８に表示される。その後、上記選択フレームレートによる動画撮影の待機状態になる。
【００５５】
ここで、上記ステップＳ９，１１（図８）で呼び出されるサブルーチン「ＯＫスイッチ判断Ａ」について図９のフローチャートを用いて説明する。
【００５６】
サブルーチン「ＯＫスイッチ判断Ａ」が呼び出されると、ステップＳ３１でOK／FUNCスイッチ２６が押されたか否かを判断する。OK／FUNCスイッチ２６が押された場合は、そのまま、図８のメインルーチンにリターンする。押されていない場合は、ステップＳ３２へ分岐する。
【００５７】
ステップＳ３２では十字キースイッチ２５が押されたか否かを判断する。十字キースイッチ２５が押された場合は、ステップＳ３３へ、押されていない場合は、ステップＳ３４へジャンプする。
【００５８】
ステップＳ３３では十字キースイッチ２５が押された方向によって、図３の第一階層メニュー上のカーソル、または、図４の撮影メニュー上のカーソルを上下方向に移動させる。
【００５９】
続いて、ステップＳ３４でMENUスイッチ２４が押されたか否かを判断する。MENUスイッチ２４が押された場合は、撮影待機処理へ移行し、押されていない場合は、ステップＳ３５へ分岐する。
【００６０】
ステップＳ３５では操作入力がない状態で所定時間経過したか否か判断する。所定時間経過しても操作入力が発生しない場合は、スリープモード（省エネルギモード）に移行する。所定時間が経過していない場合は、再度ステップＳ３１の判断を実行する。
【００６１】
次に上記ステップＳ１４（図８）で呼び出されるサブルーチン「ＯＫスイッチ判断Ｂ」について図１０のフローチャートを用いて説明する。
【００６２】
サブルーチン「ＯＫスイッチ判断Ｂ」が呼び出されると、ステップＳ４４でOK／FUNCスイッチ２６が押されたか否かを判断する。OK／FUNCスイッチ２６が押されていない場合は、ステップＳ４５へ分岐する。押された場合は、後述するステップＳ４６で選択されたフレームレート（図５のマルチウインドウ４０の表示画面上のウインドウ４１〜４４のいずれかのフレームレート）を指定した状態で図８のメインルーチンのステップＳ１５にリターンする。なお、動作初期にてOK／FUNCスイッチ２６が押された場合は、図５の６０フレームレートが選択、指定されたものとして図８のメインルーチンにリターンする。
【００６３】
ステップＳ４５では十字キースイッチ２５が押されたか否かを判断する。十字キースイッチ２５が押された場合は、ステップＳ４６へ、押されていない場合は、ステップＳ４７へジャンプする。
【００６４】
ステップＳ４６では十字キースイッチ２５が押された方向によって、図５のマルチウインドウ４０の表示画面上のウインドウ４１〜４４のいずれかの表示状態（表示色など）を変化させ、フレームレートが選択される。
【００６５】
続いて、ステップＳ４７でMENUスイッチ２４が押されたか否かを判断する。MENUスイッチ２４が押された場合は、撮影待機処理へ移行し、押されていない場合は、ステップＳ４８へ分岐する。
【００６６】
ステップＳ４８では操作入力がない状態で所定時間経過したか否か判断する。所定時間経過しても操作入力が発生しない場合は、スリープモード（省エネルギモード）に移行する。所定時間が経過していない場合は、上記ステップＳ４４の判断を実行する。
【００６７】
上記説明したように本実施形態の撮像装置１５においては、動画撮影に際して撮影条件の１つとして図５に示すようなフレームレートが異なる動画像を４分割マルチウインドウ表示にしたので、カメラ操作者が初心者であっても、画面を切り換える必要はなく、動画のフレームレートの意味を容易に理解することができ、被写体の動きに合い、操作者の好みに合った表示効果の得られるフレームレートの動画モードを選択し、動画撮影を行うことが可能となる。
【００６８】
さらに、外部メモリ７の残容量からフレームレートと合わせて、動画の記録可能時間がそれぞれ表示されるため、フレームレートか遅くても長時間撮影を行いたい場合や被写体の動きが速いので高いフレームレートで撮影したい場合などの操作者のニーズに応えることができる。
【００６９】
なお、本実施形態での選択可能なフレームレートの種類は、４つであったが、これに限らず、他の複数の種類のフレームレートを適用するようにしてもよい。
【００７０】
さらに、本実施形態を動画撮影にて複数のモードを有する場合に適用することも可能である。例えば、動画撮影として通常動画像撮影モードと、通常動画撮影と同じフレームレートで露出時間の異なる高速動画撮影モードとをメニューから選択可能にした場合、図８のステップＳ８からＳ１１までの処理で選択された動画撮影モードに対応する露出条件となるＩＳＯ感度、露出時間、および、絞りを選択されたモードに応じて設定し、動画撮影を行う。例えば、高速動画撮影モードでは通常動画撮影モードよりも露出時間を短く、ＩＳＯ感度を高く設定し、各フレーム単位で被写体ぶれの生じにくい撮影を行う。このとき、撮影者に告知するために図５，６の表示に上記設定された露出条件の各数値を画像に合成して表示するようにしてもよい。
【００７１】
また、上記マルチウインドウの本実施形態は、動画撮影時のフレームレートの選択を行う際にフレームレートの異なる画像をマルチウインドウにて一気に表示するものとしたが、これに限らず、スチル画像撮影に対しても上述したものと同様にマルチウインドウ画面表示選択方法を適用することができる。この場合、撮影条件や撮影パラメータか異なる静止画像を上記マルチウインドウ画面に表示させ、その中から選択指定するようにして、１つ１つ画像表示を切り換えることなく、マルチウインドウにて一気に表示し、選択することができるので、選択の操作が容易となる。
【００７２】
次に本発明の第二の実施形態の撮像装置について図１１，１２を用いて説明する。    図１１は、本実施形態の撮像装置における第二階層メニューである撮影メニューの表示部での表示状態を示す図である。図１２は、本実施形態の撮像装置における撮影再生処理（メインルーチン）のフローチャートである。
【００７３】
本実施形態の撮像装置は、前述第一の実施形態の撮像装置１５に対して表示部におけるメニュー表示状態のみが異なるものであり、その他の構成等は、第一の実施形態の撮像装置１５と同様であり、以下、異なる点について説明する。
【００７４】
本実施形態の撮像装置においては、第一の実施形態で表示されていた電源スイッチのオン操作後、表示部８に第一階層メニュー（図３）は表示されず、直接、第二階層メニュー（撮影メニュー）が表示される。その撮影メニュー画面は、図１１に示すように通常フレームレートによるスルー画面をスクリーン画面として表示し、その画面上に上記撮影メニューがショートカット表示される。
【００７５】
本実施形態の撮像装置における動画のマルチウインドウ表示／フレームレート選択処理を含む撮影再生処理について図１２のフローチャートに基づいて説明する。
【００７６】
まず、本実施形態の撮像装置においても電源スイッチのオン操作に伴ってコントロール部１０の制御のもとで内蔵メモリ８に格納されているプログラムに沿って図１２の撮影再生処理（メインルーチン）がスタートする。但し、図１２の撮影再生処理も第一の実施形態の場合と同様に本撮像装置が動画モードに設定されている場合の処理であり、静止画モードの場合は、別の撮影再生処理（図示せず）が実行される。
【００７７】
ステップＳ６１で動画撮影モードと動画再生モードのいずれに設定されているかを判断し、再生モードに設定されてる場合は、再生モードの処理が実行される。動画撮影モードに設定されている場合は、ステップＳ６２に進み、鏡枠を撮影可能なワイド位置に繰り出し、フォーカシングを行う等の鏡枠のイニシャライズ駆動が実行される。これ以降、ステップＳ６４で撮像系が作動状態となるまで（撮影待機状態）は、第一の実施形態における図８のステップＳ４までの処理と同様の処理が実行される。
【００７８】
そして、ステップＳ６５にて操作部１１の操作入力状態を判断し、操作入力があった場合、ステップＳ６７に分岐する。操作入力が検出されなかった場合は、ステップＳ６６に分岐し、所定時間経過するまではステップＳ６５に戻るが、所定時間が経過するとスリープモードに移行する。
【００７９】
ステップＳ６７ではOK／FUNCスイッチ２６の操作入力か否か判断する。OK／FUNCスイッチ２６の操作入力ではない場合は、他の操作入力処理に分岐する。OK／FUNCスイッチ２６の操作入力であった場合は、ステップＳ６８に分岐する。
【００８０】
ステップＳ６８で図１１に示す撮影メニュー画面５１が表示される。この撮影メニュー画面５１は、前述したように通常フレームレートによる動画スルー画面上に上記撮影メニュー５１ｃが表示される。カーソルの初期位置は、「フレームレート」の位置とする。さらに、撮影メニュー画面５１にはバッテリー残量を示すアイコン５１ａと、動画モードに設定されていることを示すムービーマーク５１ｂも表示される。この撮影メニュー表示にはフレームレートメニューの他にホワイトバランスメニュー、デシタルズームメニューも表示され、それぞれ選択、設定が可能である。
【００８１】
続いて、ステップＳ６９に進み、サブルーチン「ＯＫスイッチ判断Ａ」（図９）が呼び出される。このサブルーチンは、OK／FUNCスイッチ２６が押されたか否か判断するためのサブルーチンである。
【００８２】
このステップＳ６９以下のステップＳ７０からＳ７３の撮影待機に進むまでの処理は、第一の実施形態における図８に示したステップＳ１２からＳ１５の処理と同様の処理が実行される。そして、ステップＳ７３で選択フレームレートによる全画面表示がなされ、撮影待機状態となる。
【００８３】
本実施形態の撮像装置によると、前述第一の実施形態の撮像装置１５と同様の効果を奏し、さらに、撮影再生処理（メインルーチン）がスタートした後、第一階層メニューの表示はなく、撮影待機状態から直接、第二階層メニュー（撮影メニュー）が表示されるので素早くフレームレート，ホワイトバラスト，デジタルズームのダイレクト選択指定を行うことができる。
【００８４】
さらに、本実施形態においても動画撮影に複数のモードを有する場合に適用することも可能である。例えば、動画撮影として通常動画像撮影モードと、通常動画撮影と同じフレームレートで露出時間の異なる高速動画撮影モードとをメニューから選択可能にした場合、図１２のステップＳ６８からＳ６９までの処理で選択された動画撮影モードに対応する露出条件となるＩＳＯ感度、露出時間、および、絞りを選択されたモードに応じて設定し、動画撮影を行う。例えば、高速動画撮影モードでは通常動画撮影モードよりも露出時間を短く、ＩＳＯ感度を高く設定し、各フレーム単位で被写体ぶれの生じにくい撮影を行う。このとき、撮影者に告知するために図１１の撮影メニュー５１ｃの項目として動画撮影モード選択項目を画像に合成して表示するようにしてもよい。
【００８５】
この発明は、上記各実施の形態に限ることなく、その他、実施段階ではその要旨を逸脱しない範囲で種々の変形例を実施し得る。
【産業上の利用可能性】
【００８６】
本発明の撮像装置は、動画の撮影時、撮影モードまたは撮影パラメータを変更した効果を容易に理解することができ、また、前記変更機能を簡単かつ的確に選択ができる撮像装置として利用可能である。
【図面の簡単な説明】
【００８７】
【図１】本発明の一実施形態の撮像装置のブロック構成図である。
【図２】図１の撮像装置の背面図である。
【図３】図１の撮像装置において、MENUスイッチがオン操作されたとき、表示部に表示される第一階層メニューの表示画面を示す。
【図４】図３の第一階層メニューで第二階層メニューの撮影メニューが選択されたときの、表示部に表示される撮影メニューの表示画面を示す。
【図５】図４の撮影メニューでフレームレートが選択された場合の表示部のマルチウインドウ表示画面を示す。
【図６】図５の表示状態でフレームレートの３０フレーム／秒が選択された場合の全画面表示の動画スルー画面を示す。
【図７】図１の撮像装置における動画処理のタイムチャートである。
【図８】図１の撮像装置における撮影再生処理（メインルーチン）のフローチャートである。
【図９】図８のメインルーチンで呼び出されるサブルーチン「ＯＫスイッチ判断Ａ」のフローチャートである。
【図１０】図８のメインルーチンで呼び出されるサブルーチン「ＯＫスイッチ判断Ｂ」のフローチャートである。
【図１１】本発明の第二の実施形態の撮像装置における表示部での撮影メニューの表示状態を示す図である。
【図１２】図１１の撮像装置における撮影再生処理（メインルーチン）のフローチャートである。
【符号の説明】
【００８８】
２  …撮像素子（撮像手段）
８  …表示部（マルチウインドウ表示手段）
７  …外部メモリ（記憶手段）
【図１】
2007336522.tif 000003
【図２】
2007336522.tif 000004
【図３】
2007336522.tif 000005
【図４】
2007336522.tif 000006
【図５】
2007336522.tif 000007
【図６】
2007336522.tif 000008
【図７】
2007336522.tif 000009
【図８】
2007336522.tif 000010
【図９】
2007336522.tif 000011
【図１０】
2007336522.tif 000012
【図１１】
2007336522.tif 000013
【図１２】
2007336522.tif 000014